(57)【特許請求の範囲】
【請求項１】
整列したプラグコンタクトが周壁で囲まれてなるプラグコネクタと、該周壁内側での案内で該プラグコネクタに接続されるガイド部を有するジャックコネクタとからなるコネクタであって、
前記プラグコネクタが、前記周壁の端子列方向の各内側に、該周壁開口側を突起付の先端として端子列方向に弾性変位し得る第１の突出片と、該周壁底側を突起付の先端として端子列方向に弾性変位し得る第２の突出片とが、端子列方向で対面するように並設され、 前記ジャックコネクタの該ガイド部には、前記第１の突出片と対応する領域に、該第１の突出片の突起と僅かに接触し得る深さの溝状の凹の段差面が形成され、
該段差面と該ガイド部間に形成された斜面が、該プラグコネクタと該ジャックコネクタの接続前に該第１の突出片の突起と接触し、該各コネクタの接続解除後に該突起と開離し得るように形成されていることを特徴とするコネクタ。
【請求項２】
請求項１記載のコネクタにおける前記プラグコネクタにおける第１の突出片の突起と第２の突出片の突起との間の端子挿抜方向ピッチと、前記ジャックコネクタにおけるガイド部のプラグコンタクト挿入側端面から前記斜面中心までの隔たりが等しく形成されていることを特徴とするコネクタ。
【発明の詳細な説明】
【０００１】
【発明の属する技術分野】
本発明はプラグコンタクト配置域を該プラグコンタクト長さをカバーする高さで取り囲む周壁を備えたプラグコネクタと該周壁内面をガイドとして該プラグコネクタに接続されるジャックコネクタとからなるコネクタの構成に係り、特に上記両コネクタを接続しまたは接続を解除する工程で発生し易い上記プラグコンタクトの曲がりや変形を抑制して両コネクタ間の接続の確実化を図ったコネクタに関する。
【０００２】
【従来の技術】
図５は従来のコネクタ構成例をカバーと共に説明する図であり、（５−１）はケーブルに繋がるジャックコネクタを示し、また（５−２）は装置側に装着するプラグコネクタを示している。
【０００３】
また図６はコネクタ接続時の問題点を説明する図、図７はコネクタ接続解除時の問題点を説明する図である。
すなわち図５でコネクタ１は、（５−２）で示すプラグコネクタ１１と（５−１）で示す如くケーブルに繋がるジャックコネクタ１２とからなる。
【０００４】
そしてプラグコネクタ１は（５−２）で示す如く、複数の直状のプラグ端子１１１と該各プラグ端子１１１を所定位置に植設するプラグ絶縁体１１２とからなる。
【０００５】
この内プラグ端子１１１は、一端がプラグコンタクト１１１ａで該プラグコンタクト１１１ａに続く絶縁体固着部１１１ｂを経た他端側が外部接続端子１１１c に形成されているものである。
【０００６】
また複数の上記プラグ端子１１１を二列の所定位置に植設するプラグ絶縁体１１２は、該各端子配置域に貫通孔１１２ａを備えた底板部１１２ｂの片面（図では上面）側に該貫通孔配置域を取り囲む平面視矩形状の周壁１１２ｃが形成されているものであり、更に該周壁１１２ｃの列方向両壁の外面１１２ｄの開口側には該外面１１２ｄから突出する突起１１２ｅが後述するジャックコネクタ１２にたいする固定用として形成されている。
【０００７】
なお該プラグ絶縁体底板部１１２ｂから上記列方向に延出する突起１１２ｆは、例えば装置Ａに装着して固定するための取付け片である。
そこで、上述したプラグコンタクト１１１ａを先頭とする各プラグ端子１１１を上記プラグ絶縁体１１２の底板部側から各貫通孔１１２ａに圧入し、該各プラグ端子１１１をその絶縁体固着部１１１ｂによって該絶縁体１１２に固着せしめることでプラグコネクタ１１を図示のように構成することができる。
【０００８】
一方図５の（５−１）で、ジャックコネクタ１２は複数のジャック端子１２１と該各ジャック端子１２１を上記プラグ端子１１１と対応するそれぞれの位置に植設するジャック絶縁体１２２とからなるものであり、該ジャックコネクタ１２は断面視したカバー１３に収容し得るようになっている。
【０００９】
この内ジャック端子１２１は、一端が拡大した円内図（ａ）に示す如く二股に分岐したフォーク状のジャックコンタクト１２１ａで、該ジャックコンタクト１２１ａに続く絶縁体固着部１２１ｂを経た後の他端側が外部接続端子１２１ｃに形成されているが、該ジャックコンタクト１２１ａは各舌片１２１ａ′の間の隙間δが上述したプラグコンタクト１１１ａの太さすなわち直径より小さく形成されているので、該隙間δにプラグコンタクト１１１ａが挿入されることで両者間の接続が実現できるようになっている。
【００１０】
またジャック絶縁体１２２は、上記プラグコンタクト１１１ａと対応するそれぞれの位置に上記ジャック端子１２１をその外部接続端子１２１ｃ側から圧入してジャックコンタクト１２１ａを先端まで沈ませたときに該端子１２１が上記絶縁体固着部１２１ｂで固着し得る貫通孔１２２ａが形成されているが、該貫通孔１２２ａのジャックコンタクト対応領域は該コンタクト幅方向に多少の余裕が確保し得る大きさの矩形状に形成されている。
【００１１】
なお、ジャック絶縁体１２２の各ジャック端子植設領域周面は、上記プラグ絶縁体１１２の周壁内面１１２ｃ′に対するガイド１２２ｂとしてブラグコネクタ１１に円滑に挿入し得るように形成されている。
【００１２】
そこで、外部接続端子１２１ｃを先頭とする上記ジャック端子１２１をジャック絶縁体１２２の上述したガイド側から各貫通孔１２２ａに圧入し、該各ジャック端子１２１のジャックコンタクト先端が該絶縁体内に沈んだ位置で絶縁体固着部１２１ｂによって該絶縁体１２２に固着せしめた後、該絶縁体１２２から露出するそれぞれの外部接続端子１２１ｃにケーブル１２５を構成する各信号線１２５ａを接続することで、ケーブル１２５に繋がるジャックコネクタ１２を図示の如く構成することができる。
【００１３】
また該ジャックコネクタ１２を収容するカバー１３は、上記ジャックコネクタ１２を位置決めして固定する絶縁筐体１３１と該絶縁筐体１３１に装着される２個のロック片１３２とで構成されている。
【００１４】
この内絶縁筐体１３１は、上記ジャックコネクタ１２をジャック絶縁体１２２の周辺の一部で位置決めした状態で例えばねじ１３３等で固定し得る有底箱形の筐体本体１３１-1と、該筐体本体１３１-1の開口部を覆う蓋板１３１-2とからなるものであり、該筐体本体１３１-1と蓋板１３１-2とは例えば別に設けるねじ１３４等によって上記ジャックコネクタ１２を内設した状態で一体化し得るようになっている。
【００１５】
また上記筐体本体１３１-1の幅方向両側で対応する所定位置に底面から突出して形成した軸部１３１ａに装着できる矩形状板材からなるこの場合の上記ロック片１３２は、該軸部１３１ａに嵌合する軸受け部１３２ａを中間位置とし一端には押圧操作部１３２ｂを備えると共に他端には上述したプラグ絶縁体１１２の突起１１２ｅと係合するフック１３２ｃが形成され、更に該軸受け部１３２ａと押圧操作部１３２ｂの間には切起し片１３２ｄが設けられているものである。
【００１６】
そして該ロック片１３２を上記筐体本体１３１-1に装着した状態では、上記押圧操作部１３２ｂが該筐体本体１３１-1の側面から突出して露出すると同時に上記フック２８２ｃが上記プラグ絶縁体１１２の突起１１２ｅと対応して位置し、更に上記切起し片１３２ｄによって該ロック片１３２自体は常時図示矢印ａ1 方向に付勢されるようになっている。
【００１７】
そこで、上記ロック片１３２の押圧部１３２ａを例えばマニュアル操作等で矢印ａ2 方向に押圧してフック１３２ｃをａ2 方向に拡げた状態で、該カバー１３に収容されているジャックコネクタ１２を上述したプラグコネクタ１１に挿入することで該ジャックコネクタ１２とプラグコネクタ１１とを接続させることが実現できるが、その時点で上記押圧部１３２ａでの押圧を解除することでジャックコネクタ１２とプラグコネクタ１１間のロックを実現することができる。
【００１８】
なおジャックコネクタ１２とプラグコネクタ１１間の接続の解除は、上記押圧部１３２ｂを押圧しながらジャックコネクタ１２をプラグコネクタ１１から抜き去ることで容易に実現できる。
【００１９】
かかる構成になるコネクタでは、プラグコネクタ１１の周壁内面１１２ｃ′とジャックコネクタ１２のガイド１２２ｂとの嵌合で両者が位置決めできるので、両コネクタ間の接続とロック及び該ロックの解除と接続の解除が容易に実現できるメリットがある。
【００２０】
【発明が解決しようとする課題】
しかし最近の如くコネクタとしての小型化が進展して端子自体の大きさや端子の隣接間ピッチ等が微細化すると、プラグコネクタとジャックコネクタ間の接続時や接続解除時にプラグに曲がりや変形が発生し易くなり、結果的に確実な接続／解除が得られない場合が多くなる。
【００２１】
図６でカバー１３に収容されたジャックコネクタ１２を接続のためにプラグコネクタ１１に挿入するには、プラグコネクタ１１のプラグ絶縁体１１２の周壁内面１１２ｃ′とジャックコネクタ１２のジャック絶縁体１２２のガイド１２２ｂとを嵌合させる必要があるが、該周壁内面１１２ｃ′とガイド１２２ｂとの間の僅かな隙間によってプラグコネクタ１１とジャックコネクタ１２の間に例えば図示の如き傾きωが発生し易い。
【００２２】
この場合、プラグコンタクト１１１ａの先端がジャック絶縁体１２２の貫通孔隔壁領域に当接して変形することがあり、また該傾きωを保って挿入されると該コンタクト自体が上記貫通孔１２２ａに沿って曲がる場合がある。
【００２３】
更に図７で、接続状態にあるプラグコネクタ１１とジャックコネクタ１２を接続解除のために該プラグコネクタ１１から引き抜くときには、カバー１３の図４で説明した２個のロック片１３２の各押圧部１３２ｂを図示矢印Ｂのようにマニュアルで押圧して２個のフック１３２ｃ間を開離する必要があるが、上述したようにプラグ絶縁体１１２の周壁内面１１２ｃ′とジャック絶縁体１２２のガイド１２２ｂとの間の僅かな隙間によって図６同様の傾きωを保ったまま引き抜かれることがあり、結果的にプラグ端子１１１自体に図６で説明した曲がりを発生させることがある。
【００２４】
そして図６及び図７で説明したプラグ端子１１１としての変形や曲がりは、以後のプラグコネクタとジャックコネクタ間の接続に支障をきたす。
従って従来の構成になるコネクタ１では、プラグコネクタ１１とジャックコネクタ１２との接続操作中やとその解除操作中にプラグ端子１１１に変形や曲がりを発生させ易く、プラグコネクタとジャックコネクタ間の確実な接続が確保できなくなることがあると言う問題があった。
【００２５】
【課題を解決するための手段】
上記課題は、整列したプラグコンタクトが周壁で囲まれてなるプラグコネクタと、該周壁内側での案内で該プラグコネクタに接続されるガイド部を有するジャックコネクタとからなるコネクタであって、前記プラグコネクタが、前記周壁の端子列方向の各内側に、該周壁開口側を突起付の先端として端子列方向に弾性変位し得る第１の突出片と、該周壁底側を突起付の先端として端子列方向に弾性変位し得る第２の突出片とが、端子列方向で対面するように並設され、 前記ジャックコネクタの該ガイド部には、前記第１の突出片と対応する領域に、該第１の突出片の突起と僅かに接触し得る深さの溝状の凹の段差面が形成され、該段差面と該ガイド部間に形成された斜面が、該プラグコネクタと該ジャックコネクタの接続前に該第１の突出片の突起と接触し、該各コネクタの接続解除後に該突起と開離し得るように形成されているコネクタによって解決される。
【００２７】
プラグコネクタとジャックコネクタを接続したりその接続を解除する際に少なくともそれぞれのコンタクト間が接続している間はプラグコネクタとジャックコネクタとが傾くことなく且つ相対的な位置関係が保てるようにコネクタを構成すると、図６及び図７で説明したようなプラグ端子としての変形や曲がりを抑制することができる。
【００２８】
そこで本発明では、プラグ絶縁体周壁内側にジャック絶縁体に対する位置決め用の突出片を備えたプラグコネクタと、ジャック絶縁体の該各突出片と対応するそれぞれの領域を該各突出片で位置決めが実現できる形状に形成したジャックコネクタとで所要のコネクタを構成するようにしている。
【００２９】
そして上記プラグコネクタに設ける位置決め用の突出片は、該プラグコネクタのプラグコンタクトと上記ジャックコネクタのジャックコンタクトとが接続する領域内でのみ位置決めが実現できるように構成している。
【００３０】
このことは、コネクタとしての接続工程ではプラグコンタクトとジャックコンタクトが接触する時点以降でのみジャックコネクタがプラグコネクタに対して位置決めされると共に、コネクタとしての接続解除工程ではプラグコンタクトとジャックコンタクトとの接続が解除される時点までは該ジャックコネクタがプラグコネクタに対して位置決めされていることを示している。
【００３１】
従って、少なくともプラグコンタクトとジャックコンタクトが接続している領域内では、図６及び図７で説明した如きプラグコネクタとジャックコネクタとの間の傾きωをなくすことができて、プラグコンタクトの変形や曲がりが抑制できるコネクタを実現することができる。
【００３２】
【発明の実施の形態】
図１は本発明になるコネクタの構成例を説明する図であり、図２は図１におけるプラグコネクタを説明する図、図３は図１におけるジャックコネクタを説明する図、図４はコネクタ接続時のジャックコネクタ位置決め状態を説明する図である。
【００３３】
なお図ではいずれも図５で説明したコネクタに本発明を適用させる場合を例としているので、図５と同じ対象部材や部位には同一の記号を付すと共に重複する説明についてはそれを省略する。
【００３４】
また以下の説明では本発明を理解し易くするため、プラグコネクタとジャックコネクタを単体化した状態で説明すると共に、図１におけるコネクタの説明途中で、図２乃至図４に係わるプラグコネクタとジャックコネクタ及びコネクタ接続時のジャックコネクタ位置決め状態を順次説明する。
【００３５】
図１で本発明になるコネクタ２は、（１−１）で示すプラグコネクタ２１と（１−２）で示すケーブル１２５に繋がるジャックコネクタ２２とで構成されている。
【００３６】
ここでプラグコネクタ２１の構成を図２で説明するが、（２−１）は全体構成を示しまた（２−２）は（２−１）を矢印ｂ〜ｂ′で断面視した拡大図である。
すなわちこの場合のプラグコネクタ２１は図２で示す如く、図５で説明した複数のプラグ端子１１１と該各プラグ端子１１１を二列の所定位置に植設するプラグ絶縁体２１１とからなる。
【００３７】
そして投影外形が図５で説明したプラグ絶縁体１１２と等しいこの場合の該プラグ絶縁体２１１は、上記プラグ絶縁体１１２における周壁の端子列方向両サイドの各周壁領域のみに、底板１１２ｂから開口側に突出し先端域に少なくとも該先端側を斜面として端子列方向内側に膨らむ突起２１１ａ′が設けられ且つ上記底板側を固定域として該突起２１１ａ′が押圧される方向すなわち端子列方向外側に弾性変位し得る第１の突出片２１１ａと、周壁内面の開口側から底板１１２ｂの方向に突出し先端域に少なくとも該開口側を斜面として端子列方向内側に膨らむ突起２１１ｂ′が設けられ且つ該開口側を固定域として該突起２１１ｂ′が押圧される方向すなわち端子列方向外側に弾性変位し得る第２の突出片２１１ｂとが、上記第１の突出片２１１ａと該第２の突出片２１１ｂとが端子列方向で対面するように端子列方向両サイドに並列配置して形成したものであり、その他の領域は前記プラグ絶縁体１１２と等しいものである。
【００３８】
そこで、図５で説明したように該プラグ絶縁体２１１の各貫通孔１１２ａに上記プラグ端子１１１を圧入固着することで、プラグコネクタ２１を図示のように構成することができる。
【００３９】
なお、底板１１２ｂの第２の突出片２１１ｂと対応する領域に形成されている角孔１１２ｂ′は該第２の突出片の成形を容易化するための孔であるが、該角孔１１２ｂ′を設けることで第２の突出片２１１ｂの先端を自由端にできるメリットがある。
【００４０】
また、該プラグコネクタ２１に対応するジャックコネクタ２２を図３で説明するが、（３−１）は全体構成を示しまた（３−２）は（３−１）の本発明に係わる主要部をＤ方向から見て拡大したものである。
【００４１】
そしてこの場合のジャックコネクタ２２は図３で示す如く、図５で説明したジャックコネクタ１２におけるジャック絶縁体１２２の表面形状の一部のみを図示のジャック絶縁体２２１のように追加形成したものである。
【００４２】
すなわち、投影外形が図５で説明したジャック絶縁体１２２と等しいこの場合の該ジャック絶縁体２２１は、上記ジャック絶縁体１２２のガイド１２２ｂの前記第１の突出片２１１ａと対応するそれぞれの領域に、第１の突出片２１１ａの突起２１１ａ′の頂点が僅かに接触する深さ“ｄ”の凹の段差面２２１ａを、該ジャック絶縁体２２１のガイド端面１２２ｂ′からプラグ端子挿入方向に追加形成したものである。
【００４３】
そしてこの場合の該凹の段差面２２１ａのプラグ端子挿入方向長さは、該ジャック絶縁体２２１に図５同様に内設されている図示されないジャック端子１２１と該ジャックコネクタ２２に挿入される前記プラグコネクタ２１のプラグ端子１１１とが接触したときの上記突起２１１ａ′と対応する位置から先が、該凹の段差面と鈍角をなす斜面２２１ａ′に形成されている。
【００４４】
なお、該斜面２２１ａ′のプラグ端子挿入方向中心線Ｅと上記ガイド１２２ｂの端面１２２ｂ′との間の隔たり“Ｌ”は、図２の（２−２）における第１の突出片２１１ａの突起２１１ａ′と隣接する第２の突出片２１１ｂの突起２１１ｂ′のプラグ端子挿入方向ピッチ“Ｌ′”にほぼ対応するようになっている。
【００４５】
そこで、コネクタ接続時における上記第１の突出片２１１ａと該第２の突出片２１１ｂとの時系列的変位を側断面視したジャックコネクタ位置決め状態として説明する図４で、（４−１）は接続前の状態を示し、（４−２）は接続直前の状態を、また（４−３）は接続後の状態をそれぞれ示したものである。
【００４６】
すなわち図４の（４−１）で、２１はプラグコネクタを示し、また２２はジャックコネクタを示している。
そして、ジャックコネクタ２２におけるガイド１２２ｂの領域には、プラグコネクタ２１の第１の突出片２１１ａと対応する位置のみに図３で説明した凹の段差面２２１ａが形成されている。
【００４７】
そこで、上記プラグコネクタ２１に該ジャックコネクタ２２を矢印Ｆのように挿入すると、第１の突出片２１１ａはその突起２１１ａ′が上記凹の段差面２２１ａと対応すると同時に、第２の突出片２１１ｂはその突起２１１ｂ′を除く領域がガイド１２２ｂと対応して挿入される。
【００４８】
そして、上記突起２１１ａ′が凹の段差面２２１ａに続く斜面２２１ａ′と接触した時点で第２の突出片２１１ｂの突起２１１ｂ′が上記端面１２２ｂ′と接触するが、この時点は上述したように、端子領域を断面視した（ａ）に示す如くジャックコネクタ２２のジャック端子１２１とプラグコネクタ２１のプラグ端子１１１とが接触する時点でもある。
【００４９】
図（４−２）はこの時の状態を示したものである。
次いで更に上記ジャックコネクタ２２の挿入を継続してジャック端子１２１とプラグ端子１１１を接続すると、第１の突出片２１１ａの変位によってその突起２１１ａ′が上記斜面２２１ａ上を摺動しながらガイド形成面に到達すると同時に第２の突出片２１１ｂの変位によってその突起２１１ｂ′がジャック絶縁体２２１のガイド１２２ｂに乗り上がることから（４−３）に示す状態となる。
【００５０】
このことは、ジャック端子１２１とプラグ端子１１１との端子領域を断面視した（ｂ）に示す接続領域では、ジャックコネクタ２２のガイド１２２ｂ領域が２個の突起２１１ａ′と２個の突起２１１ｂ′によって端子列方向両サイドから押圧されることから、該ジャックコネクタ２２がプラグコネクタ２１に対して位置決めし得ることを示している。
【００５１】
従って、かかる構成になるプラグコネクタ２１とジャックコネクタ２２とを図１に示す如く嵌合させて接続する工程では、プラグ端子１１１とジャック端子１２１とが接触する前では図６で説明したプラグコネクタ２１とジャックコネクタ２２が傾いた状態にあっても、該各端子が接触する時点では該コネクタ間の上記傾きが上記第１と第２の突出片２１１ａ，２１１ｂによって修正されることになることから、図６で説明した如きプラグ端子としての曲がりや変形を抑制することができる。
【００５２】
また、接続状態にあるプラグコネクタ２１とジャックコネクタ２２とを接続解除のために引き抜く工程では、各端子間が接続状態にある領域では上記第１と第２の突出片２１１ａ，２１１ｂによってコネクタ同士が位置決めされているので図７で説明した如きプラグ端子としての曲がりを抑制することができる。
【００５３】
従って、接続工程でもまた接続解除工程でもプラグ端子としての曲がりや変形が抑制できるコネクタを実現することができる。
なお本発明の説明では端子が二列に整列したコネクタの場合を例としているが、如何なる端子例を持つコネクタにも本発明が適用し得ることは明らかである。
【００５４】
【発明の効果】
上述の如く本発明により、プラグコンタクト植設域を取り囲む周壁を備えたプラグコネクタと該周壁内面をガイドとして該プラグコネクタに接続されるジャックコネクタとの間を接続しまたは接続を解除する工程で発生し易い上記プラグコンタクトの曲がりや変形を抑制して両コネクタ間の接続の確実化を図ったコネクタを提供することができる。
【００５５】
なお本発明の説明では端子が二列に整列したコネクタの場合を例としているが、該端子列は二列に限定されるものでなく如何なる端子列を持つコネクタでも同等の効果が得られることは明らかである。
【図面の簡単な説明】
【図１】  本発明になるコネクタの構成例を説明する図である。
【図２】  図１におけるプラグコネクタを説明する図である。
【図３】  図１におけるジャックコネクタを説明する図である。
【図４】  コネクタ接続時のジャックコネクタ位置決め状態を説明する図である。
【図５】  従来のコネクタ構成例をカバーと共に説明する図である。
【図６】  コネクタ接続時の問題点を説明する図である。
【図７】  コネクタ接続解除時の問題点を説明する図である。
【符号の説明】
２          コネクタ
２１        プラグコネクタ
２２        ジャックコネクタ
１１１      プラグ端子
１１２      プラグ絶縁体
１１２ａ    貫通孔
１１２ｂ    底板
１２１      ジャック端子
１２１ａ    ジャックコンタクト
１２２ｂ    ガイド
１２２ｂ′  ガイド端面
２１１      プラグ絶縁体
２１１ａ    第１の突出片
２１１ａ′  突起
２１１ｂ′  突起
２１１ｂ    第２の突出片
２２１      ジャック絶縁体
２２１ａ    凹の段差面
２２１ａ′  斜面
【図１】
0003650235.tif 000002
【図２】
0003650235.tif 000003
【図３】
0003650235.tif 000004
【図４】
0003650235.tif 000005
【図５】
0003650235.tif 000006
【図６】
0003650235.tif 000007
【図７】
0003650235.tif 000008